(57)【要約】【課題】発信番号画面の余裕スペースに所定の情報を表示することができる発信番号表示方法及びこれを実行する移動通信端末機を提供する。【解決手段】本発明による発信番号表示方法は、入力された原発信番号に特定記号が含まれ、該特定記号に対し割り当てられている特定番号がある場合に、移動通信端末機が前記特定記号を前記特定番号に転換し、該転換後の発信番号で基地局に発呼する第１のステップと、入力された原発信番号に、特定記号が含まれていない場合又は特定記号が含まれているけれども該特定記号に対し割り当てられている特定番号がない場合、移動通信端末機が当該原発信番号で基地局に発呼する第２のステップと、呼接続時に前記原発信番号を移動通信端末機が表示する第３のステップと、を含むことを特徴とする。【選択図】図３
2007288763.tif 000002
【特許請求の範囲】
【請求項１】
入力された原発信番号に特定記号が含まれ、該特定記号に対し割り当てられている特定番号がある場合に、移動通信端末機が前記特定記号を前記特定番号に転換し、該転換後の発信番号で基地局に発呼する第１のステップと、
呼接続時に前記原発信番号を移動通信端末機が表示する第２のステップと、
を含むことを特徴とする発信番号表示方法。
【請求項２】
前記第１のステップにおいて、移動通信端末機が前記転換後発信番号で呼出中に当該転換後発信番号を表示することを特徴とする請求項１に記載の発信番号表示方法。
【請求項３】
前記第１のステップの前に、移動通信端末機が、入力された前記原発信番号の全てまたは一部を表示するステップをさらに含むことを特徴とする請求項２に記載の発信番号表示方法。
【請求項４】
前記第１のステップにおいて、入力された原発信番号に、特定記号が含まれていない場合又は特定記号が含まれているけれども該特定記号に対し割り当てられている特定番号がない場合、移動通信端末機が当該原発信番号で基地局に発呼することを特徴とする請求項１〜３のいずれか１項に記載の発信番号表示方法。
【請求項５】
前記第２のステップにおいて、移動通信端末機は、前記原発信番号を表示したときの余裕スペースに所定の情報を表示することを特徴とする請求項１〜４のいずれか１項に記載の発信番号表示方法。
【請求項６】
前記所定の情報は、通話時間、現在時刻、受信者情報、呼状態のうちのいずれか１つ以上であることを特徴とする請求項５に記載の発信番号表示方法。
【請求項７】
前記受信者情報は、移動通信端末機の電話帳に登録されている１つ以上の情報であることを特徴とする請求項６に記載の発信番号表示方法。
【請求項８】
前記原発信番号と前記所定の情報とを互いに区別して表示することを特徴とする請求項５〜７のいずれか１項に記載の発信番号表示方法。
【請求項９】
前記特定番号が国際通話番号を示すことを特徴とする請求項１又は請求項６に記載の発信番号表示方法。
【請求項１０】
前記特定記号が＋であることを特徴とする請求項１又は請求項９に記載の発信番号表示方法。
【請求項１１】
発信番号を入力する入力部と、
基地局と通信するための無線送受信部と、
前記入力部により入力された原発信番号に特定記号が含まれ、該特定記号に対し割り当てられている特定番号がある場合に、前記特定記号を前記特定番号に転換し、該転換後の発信番号で前記無線送受信部を介し基地局に発呼し、一方、前記入力部により入力された原発信番号に、特定記号が含まれていない場合又は特定記号が含まれているけれども該特定記号に対し割り当てられている特定番号がない場合、当該原発信番号で前記無線送受信部を介し基地局に発呼するように制御する制御部と、
呼接続時に前記原発信番号を表示するディスプレイ部と、
を含んで構成されることを特徴とする移動通信端末機。
【請求項１２】
前記ディスプレイ部は、前記転換後発信番号で呼出中に当該転換後発信番号を表示することを特徴とする請求項１１に記載の移動通信端末機。
【請求項１３】
前記ディスプレイ部は、前記入力部により入力された原発信番号の全てまたは一部を発呼前に表示することを特徴とする請求項１２に記載の移動通信端末機。
【請求項１４】
前記ディスプレイ部は、呼接続時に前記原発信番号を表示したときの余裕スペースに所定の情報を表示することを特徴とする請求項１１〜請求項１３のいずれか１項に記載の移動通信端末機。
【請求項１５】
前記所定の情報は、通話時間、現在時刻、受信者情報、呼状態のうちのいずれか１つ以上であることを特徴とする請求項１４に記載の移動通信端末機。
【請求項１６】
前記受信者情報は、電話帳に登録されている１つ以上の情報であることを特徴とする請求項１５に記載の移動通信端末機。
【請求項１７】
前記ディスプレイ部は、前記原発信番号と前記所定の情報とを互いに区別できるように表示することを特徴とする請求項１４〜１６のいずれか１項に記載の移動通信端末機。
【請求項１８】
前記特定番号が国際通話番号を示すことを特徴とする請求項１１に記載の移動通信端末機。
【請求項１９】
前記特定記号が＋であることを特徴とする請求項１１又は請求項１８に記載の移動通信端末機。
【請求項２０】
前記ディスプレイ部として２つ以上のディスプレイ装置を有することを特徴とする請求項１５に記載の移動通信端末機。
【発明の詳細な説明】
【技術分野】
【０００１】
本発明は、移動通信（移動体通信）の端末機に関し、特に、その発信番号表示方法に関する。
【背景技術】
【０００２】
一般的に、移動通信端末機は、特定記号を含めて発信を試みる（発呼）ことができる。例えば、国際電話をかける場合、国際電話を表す特定記号を、国家番号等を含む受信者（被呼）番号の頭に挿入して発信を試みることができる。このような場合、その特定記号は、当該移動通信端末機内に記憶されている、国際通話の網事業者を表す網番号（局番）に転換されて発呼され、且つ、発呼後、通話が終了するまでの間、特定記号をその網番号に置き換えた状態の発信番号を、移動通信端末機において表示する。
【発明の開示】
【発明が解決しようとする課題】
【０００３】
上記のように移動通信端末機において表示される発信番号は、国際通話の場合にとても長くなり、通信中の画面に全て表示できない場合がある。また、当該発信番号を画面中に全て表示できたとしても、発信番号が短い国内通話の場合などに表示されていた呼状態や受信情報などが、その発信番号の長さのために邪魔をされて表示できない場合がある。
【０００４】
本発明は、このような技術背景に鑑みてなされたもので、その目的は、発信番号画面を十分に活用することができる発信番号表示方法及びこれを実行する移動通信端末機を提供することにある。また、本発明の他の目的は、発信番号画面の余裕スペースに所定の情報を表示することができる発信番号表示方法及びこれを実行する移動通信端末機を提供することにある。
【課題を解決するための手段】
【０００５】
本発明による発信番号表示方法は、入力された原発信番号に特定記号が含まれ、該特定記号に対し割り当てられている特定番号がある場合に、移動通信端末機が前記特定記号を前記特定番号に転換し、該転換後の発信番号で基地局に発呼する第１のステップと、呼接続時に前記原発信番号を移動通信端末機が表示する第２のステップと、を含むことを特徴とする。
【０００６】
前記第１のステップにおいては、移動通信端末機が前記転換後発信番号で呼出中に当該転換後発信番号を表示することを特徴とする。前記第１のステップの前には、移動通信端末機が、入力された前記原発信番号の全てまたは一部を表示するステップをさらに含むことができる。
【０００７】
前記第１のステップにおいて、入力された原発信番号に、特定記号が含まれていない場合又は特定記号が含まれているけれども該特定記号に対し割り当てられている特定番号がない場合には、移動通信端末機が当該原発信番号で基地局に発呼することを特徴とする。
【０００８】
前記第２のステップにおいては、移動通信端末機は、前記原発信番号を表示したときの余裕スペースに所定の情報を表示することを特徴とする。前記所定の情報は、通話時間、現在時刻、受信者情報、呼状態のうちのいずれか１つ以上とすることができる。前記受信者情報は、移動通信端末機の電話帳に登録されている１つ以上の情報とし得る。前記原発信番号と前記所定の情報とは、互いに区別して表示することができる。
【０００９】
前記特定番号が国際通話番号を示し、前記特定記号が＋であり得る。
【００１０】
本発明による移動通信端末機は、発信番号を入力する入力部と、基地局と通信するための無線送受信部と、前記入力部により入力された原発信番号に特定記号が含まれ、該特定記号に対し割り当てられている特定番号がある場合に、前記特定記号を前記特定番号に転換し、該転換後の発信番号で前記無線送受信部を介し基地局に発呼し、一方、前記入力部により入力された原発信番号に、特定記号が含まれていない場合又は特定記号が含まれているけれども該特定記号に対し割り当てられている特定番号がない場合、当該原発信番号で前記無線送受信部を介し基地局に発呼するように制御する制御部と、呼接続時に前記原発信番号を表示するディスプレイ部と、を含んで構成されることを特徴とする。
【００１１】
前記ディスプレイ部は、前記転換後発信番号で呼出中に当該転換後発信番号を表示することがきる。また、前記ディスプレイ部は、前記入力部により入力された原発信番号の全てまたは一部を発呼前に表示することができる。
【００１２】
前記ディスプレイ部は、呼接続時に前記原発信番号を表示したときの余裕スペースに所定の情報を表示することを特徴とする。前記所定の情報は、通話時間、現在時刻、受信者情報、呼状態のうちのいずれか１つ以上とすることができる。前記受信者情報は、電話帳に登録されている１つ以上の情報とすることができる。前記ディスプレイ部は、前記原発信番号と前記所定の情報とを互いに区別できるように表示することができる。
【００１３】
前記特定番号が国際通話番号を示し、前記特定記号が＋であり得る。
【００１４】
前記ディスプレイ部として２つ以上のディスプレイ装置を有することもできる。
【発明の効果】
【００１５】
本発明によれば、特定記号が含まれている発信番号で通信を試みるとき、特定記号を該当する特定番号に転換して発信する一方で、移動通信端末機における表示については、特定記号のままの原発信番号を表示するので、発信番号画面を十分に活用することができるという効果がある。
【００１６】
また、本発明によれば、特定記号のままの原発信番号を表示するので、これにより生じる余裕スペースに、発信情報や受信情報などの他の情報を表示することができるという効果がある。
【発明を実施するための最良の形態】
【００１７】
以下、本発明の好ましい実施の形態を、添付図面に基づき詳細に説明する。
【００１８】
図１は、本発明の一実施形態による移動通信端末機の構成図であり、図２ａ乃至図２ｄは、本発明の一実施形態による移動通信端末機の発信番号表示画面である。
【００１９】
図１及び図２ａ乃至図２ｄに示すように、本発明の一実施形態による移動通信端末機は、キー入力部１０と、無線送受信部２０と、制御部３０と、ディスプレイ部４０と、ダイアリングバッファ５５を備えた格納部５０と、を含む。
【００２０】
キー入力部１０は、多数の数字キーを有し、発信番号を入力することができる。発信番号は、韓国内の通話番号（電話番号）または韓国外の通話番号であり得る。また、韓国を基準にした国際通話番号、あるいは、韓国外の国家、例えば日本を基準にした国際通話番号であり得る。例えば、図２ｂに示すように、日本を基準にした国際通話番号「＋８２１０９９９９１２３４」が発信番号である場合、キー入力部１０の多数の数字キーを用いてこの発信番号を順次入力することができる。
【００２１】
無線送受信部２０は、日本を基準にした国際通話で、キー入力部１０により例えば「＋８２１０９９９９１２３４」の発信番号が入力されオフフックされると、基地局と通信を開始する。
【００２２】
制御部３０は、発信を試みるとき、原発信番号「＋８２１０９９９９１２３４」に、特定記号（この例では各国で国際通話番号を意味する「＋」が相当する）が含まれているか否かを判断する。そして、制御部３０は、特定記号「＋」が含まれていた場合、当該特定記号に対し、国際通信網番号（国際通信局番号）に該当する特定番号、例えば「００９１３００１０」が割り当てられているかを確認して、原発信番号「＋８２１０９９９９１２３４」における特定記号「＋」をその特定番号「００９１３００１０」に転換し、転換後の発信番号「００９１３００１０８２１０９９９９１２３４」で、基地局に発呼する。一方、制御部３０は、特定記号が含まれていなかった場合、或いは、特定記号が含まれていたけれども該特定記号に特定番号が割り当てられていなかった場合には、原発信番号で、基地局に発呼する。
【００２３】
ディスプレイ部４０は、呼出を試みる前（オフフック前）は、原発信番号「＋８２１０９９９９１２３４」を表示する。ディスプレイ部４０は、通常の表示装置、例えば、ＬＣＤ、ＰＤＰ、ＣＲＴ、ＯＬＥＤ、ＦＥＤであり得る。このディスプレイ部４０では、図２ｃに示すように、特定記号「＋」が含まれていた場合の呼出中（dialing）に、転換後発信番号「００９１３００１０８２１０９９９９１２３４」を表示することができる。そして、呼がつながったときには（talking）原発信番号「＋８２１０９９９９１２３４」を表示することができる。すなわち、ディスプレイ部４０は、発呼前は原発信番号の全てまたは一部を、呼出中は転換後発信番号を、呼接続後は原発信番号を縮小表示する。最終的にディスプレイ部４０には原発信番号が縮小表示されるので、桁数の多い転換後発信番号を表示するよりも余裕スペースを広くすることができる。つまり、余裕スペースは、転換後発信番号と原発信番号との桁数の差により生じる表示部分の空きスペースを意味する。
【００２４】
ディスプレイ部４０において呼接続後に原発信番号を表示するときには、その余裕スペースに、所定の情報を表示することができる。たとえば図２ｄに示すように、「００：０５」といった通話時間や受信（被呼）者の画像を情報として表示できる。あるいは、現在時刻、受信者情報、呼状態のいずれか１以上等とすることもできる。また、その受信者情報は、電話帳に登録されている１以上の情報であり得る。電話帳に登録されている受信者情報は、図２ｄに示すような受信者の画像であったり、電話番号や名前などであり得る。また、所定の情報は、発信情報または受信情報でもあり得る。
【００２５】
ディスプレイ部４０における表示では、原発信番号「＋８２１０９９９９１２３４」と余裕スペースの所定の情報とを、互いに区別できるようにすることができる。例えば、原発信番号の文字色と所定の情報の文字色とを違うものにする、あるいは、両者の領域を区別できるものとし、背景色を変えることもできる。他にも、文字サイズや文字スタイルを違うものとするなど、様々な例があげられる。
【００２６】
ディスプレイ部４０としては、２つ以上のディスプレイ装置を含んだものとすることもできる。この場合、２つ以上のディスプレイ装置のうちのいずれか１つに上述した発信番号を表示することができ、また、両者に同時にまたは順次に表示することもできる。さらに、１つのディスプレイ装置に原発信番号を表示し、他のディスプレイ装置に上述した所定の情報を表示して可読性を高めることができる。これら以外にも、様々な変形例があり得る。
【００２７】
格納部５０のダイヤリングバッファ５５は、発呼や呼出、呼接続時に原発信番号及び転換後発信番号を格納し、ディスプレイ部４０にこれらを出力するときに使用する。これにより、発呼から通話終了時まで、ディスプレイ部４０は、発信番号と共に所定の情報を表示することができる。
【００２８】
図３は、本発明の実施形態に係る発信番号表示方法のフローチャートである。
【００２９】
図３に示すように、移動通信端末機は、発信を試みる際（Ｓ１０）、原発信番号に特定記号、例えば「＋」が含まれているかどうか判断する（Ｓ１５）。すなわち本例の場合は、国際電話番号、つまり国際呼であるか否かを判断することになる。
【００３０】
国際呼であった場合は、原発信番号「＋８２１０９９９９１２３４」をダイヤルリングバッファ５５に格納する（Ｓ２０）。
【００３１】
続いて、特定記号「＋」に対し割り当てられている網番号（局番）、例えば「００９１３００１０」が存在するか否かを判断する（Ｓ２５）。そして、特定記号「＋」に割り当てられた網番号が存在する場合は、特定記号「＋」をその網番号に転換する（Ｓ３０）。継いで、原発信番号「＋８２１０９９９９１２３４」の特定記号「＋」を網番号に代置した転換後の発信番号「００９１３００１０８２１０９９９９１２３４」を、ダイヤリングバッファ５５に格納する（Ｓ３５）。
【００３２】
また、その転換後発信番号「００９１３００１０８２１０９９９９１２３４」で基地局に発呼し、網番号に該当する通信網を通して呼接続を試みる（Ｓ４０）。これによる呼出中は、転換後発信番号「００９１３００１０８２１０９９９９１２３４」をディスプレイ部４０に表示する（Ｓ４５）。
【００３３】
発信後は呼接続の成否を判断し（Ｓ５０）、呼が接続されれば、ダイヤリングバッファ５５に格納されている原発信番号をディスプレイ部３０に出力して（Ｓ５５）、通話処理する（Ｓ６０）。
【００３４】
一方、ステップＳ１５の判断で、原発信番号に特定記号「＋」が存在しなかった場合は国際通話番号ではないので、原発信番号で基地局に発呼し（Ｓ６５）、原発信番号を表示する（Ｓ７０）。発呼後、呼の接続を判断し（Ｓ７５）、通常の方式と同様に原発信番号をディスプレイ部４０に表示して（Ｓ８０）、通話処理する（Ｓ６０）。
【００３５】
また、ステップＳ１５の判断で原発信番号に特定記号「＋」が存在していたけれども、ステップＳ２５の判断で特定記号「＋」に割り当てられた網番号が存在しなかった場合は、ダイヤルリングバッファ５５に格納されている原発信番号で発呼し（Ｓ８５）、ディスプレイ部４０に原発信番号を表示する（Ｓ９０）。これ以降の呼接続過程は、ステップＳ５０以降と同様である。
【００３６】
以上の結果、発呼後、通話終了時までディスプレイ部４０は、十分なスペースをもって発信番号と共に所定の情報を表示することができる。
【００３７】
以上、本発明を具体例により説明したが、本発明はこれに限られない。例えば、特定記号として「＋」を説明したが、特定記号は、国家毎、事業者（キャリア）毎に異なり得る。勿論、特定記号は一般的な記号だけでなく、特定文字や特定数字またはこれらの組み合せなど、入力部を通して入力可能なあらゆる形態のものであり得る。例えば、特定国際通信網番号に該当する特定記号として特定文字「ｊｐｎｅｔ」を利用したとすれば、その特定文字に電話番号「８２１０９９９９１２３４」を組み合わせて原発信番号「ｊｐｎｅｔ８２１０９９９９１２３４」が構成される。
【００３８】
また、「発信番号」は、数字から構成された電話番号のみを例示して説明しているが、数字に限られるわけではなく、文字や記号またはこれらの組み合せで構成されたものであり得る。例えば、電子メールのアドレスを用いて通信を試みるとき、電子メールアドレスが長い場合、上述した方法と同じ方法を用いて発信番号に該当する電子メールアドレスの長さを可変的に減らすことができる。
【００３９】
さらには、入力装置としてキー入力部を説明しているが、音声認識やタッチスクリーン等の多様な入力装置を利用して発信番号を入力することができる。
【００４０】
以上の本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４１】
【図１】本発明による移動通信端末機の構成図である。
【図２】本発明による移動通信端末機の発信番号表示画面である。
【図３】本発明に係る発信番号表示方法のフローチャートである。
【符号の説明】
【００４２】
１０  キー入力部
２０  無線送受信部
３０  制御部
４０  ディスプレイ部
５０  格納部
５５  ダイアリングバッファ
【図１】
2007288763.tif 000003
【図３】
2007288763.tif 000004
【図２】
2007288763.tif 000005